Podtech/llm-jp-corpus-v4-ja_patent huggingface dataset:
(57)【要約】【目的】従来の耳かきは先端が杓子状で薄く、しかも特定の向きでしか使用することができないことから、使用者の不注意で外耳道表面に過度の力が加わり皮膚を傷つけたり、あるいは入れすぎにより鼓膜を破損するなど危険を伴なっていた。又、細かな耳垢まで掻き出せないという問題点も有するものであった。そこで本考案は安全性に優れると共に、細かな耳垢まで掻き出すことが可能な耳かきを提供することを目的とする。【構成】本考案は以下のように構成した。請求項１：円盤状の先端部と、該先端部に隣接して、棒状の軸部の長さ方向に沿って設けた薄板状の２個の羽根部と、により構成する。請求項２：請求項１記載の耳かきにおいて、羽根部を３個以上設ける。請求項３：請求項１又は２に記載の耳かきにおいて、先端部の先端側の面を湾曲形状に形成する。【選択図】図１
0003138873.tif 000002
【実用新案登録請求の範囲】
【請求項１】
円盤状の先端部と、
該先端部２に隣接して、棒状の軸部３の長さ方向に沿って設けた薄板状の２個の羽根部４と、
を備えたことを特徴とする耳かき。
【請求項２】
羽根部４を３個以上備えた請求項１記載の耳かき。
【請求項３】
先端部２の先端側の面２aを湾曲形状となした請求項１又は２に記載の耳かき。
【考案の詳細な説明】
【技術分野】
【０００１】
本考案は、耳垢を掻き出すための耳かきに関し、より詳しくは耳かき時に外耳道を傷つけることを可及的に防止できる耳かきに関する。
【背景技術】
【０００２】
従来の耳かきは、細い棒状の柄の先端に杓子状の耳掻き部を備え、この部分を外耳道内の皮膚に沿って掻き回すような動作や耳内に出し入れする動作を繰り返して行うことで、耳垢を掻き出すものであった。又、耳掻き部の他の形状として、掻く作業が全方向で行え、且つ、痛みも伴わないように円形のフランジを適宜間隔へだてて複数並設した形状のものなどがあった。
【０００３】
かかる耳かきの安全性を高めるため、特許文献１乃至３に記載するような技術が提案されている。
【特許文献１】特開２００２−２３８７９６号公報
【特許文献２】特開２００４−８９５８５号公報
【特許文献３】特開２００５−１１１１０２号公報
【考案の開示】
【考案が解決しようとする課題】
【０００４】
従来の耳かきは先端が杓子状で薄く、しかも特定の向きでしか使用することができないことから、使用者の不注意で外耳道表面に過度の力が加わり皮膚を傷つけたり、あるいは入れすぎにより鼓膜を破損するなど危険を伴なっていた。又、細かな耳垢まで掻き出せないという問題点も有するものであった。
【０００５】
他方で円形のフランジを適宜間隔へだてて複数並設した形状のものなどは、外耳道表面を傷つける恐れは少ないが、細かな耳垢まで掻き出せないという問題点を、先端が杓子状のものと同様に有するものであった。
【０００６】
そこで本考案は安全性に優れると共に、細かな耳垢まで掻き出すことが可能な耳かきを提供することを目的とする。
【課題を解決するための手段】
【０００７】
上記課題を解決するために、各請求項記載の本考案は以下のように構成した。
【０００８】
請求項１：円盤状の先端部と、該先端部に隣接して、棒状の軸部の長さ方向に沿って設けた薄板状の２個の羽根部と、により構成する。
【０００９】
請求項２：請求項１記載の耳かきにおいて、羽根部を３個以上設ける。
【００１０】
請求項３：請求項１又は２に記載の耳かきにおいて、先端部の先端側の面を湾曲形状に形成する。
【考案の効果】
【００１１】
以下、上述のように構成される本考案がいかにして課題を解決するかを図面を参照しながら述べる。
【００１２】
本考案における耳かき１において、主に耳垢をかき出すのは図４等において示される耳かき１の先端に設けた円盤状の先端部２である。先端部２は円盤状であるがゆえに外周面の比較的広い面が外耳道表面に接することになり、従来の先端が杓子状のものに比して皮膚を傷つける恐れが少ないものである。
【００１３】
又、本考案においては耳掻き部５を外耳内に挿入した状態で回転させることで羽部部４が外耳道表面全体をこすることになり、先端部２では掻き出し困難な細かな耳垢をかき出すことが可能となるのである。
【００１４】
請求項３記載の耳かき１においては、図４に示すように先端部２の先端側の面２ａを湾曲形状となしてある。湾曲形状であるがゆえに先端面２ａが外耳道に接する際の刺激を小さくでき、外耳道表面を傷つける恐れをより少なくできるものである。
【００１５】
かようにして本考案によれば安全性に優れると共に、細かな耳垢までそぎ落とし掻き出すことが可能な耳かきを提供することが可能となるのである。
【考案を実施するための最良の形態】
【００１６】
以下、好ましい考案の一実施形態につき述べる。
【００１７】
図１は本考案の正面図、図２は同じく平面図、図３は要部拡大正面図、図４は図３におけるＡ−Ａ線断面図である。
【００１８】
耳かき本体１は、耳かき作業をしやすい長さに形成した丸棒状の柄部材６と、この柄部材６よりも小径に形成され柄部材６の先端に取り付けられた軸部３とを有し、軸部３の先端には、耳垢を掻き出すための耳掻き部５を設けている。
なお、上記構成における柄部材６は、この考案における柄部に対応するも、この考案は、上記構成のみに限定されるものではない。
【００１９】
例えば柄部材６の後端側に、柄部材６よりも大径の略円柱形状を呈する握り部材を連結してもよい。
【００２０】
耳掻き部５の先端には図２、図３に示すように円盤状の先端部２が設けてある。請求項３記載の考案においては先端部２の先端面２ａの形状を湾曲形状に形成してある。外耳道表面を傷つけないようにするためである。
【００２１】
図３、図４に示すように先端部２に隣接して軸部３の長さ方向に沿って薄板状の羽根部４が設けてある。羽根部の個数は請求項１記載の考案においては２個、請求項２記載の考案においては３個以上設けてある。
【図面の簡単な説明】
【００２２】
【図１】本考案の正面図。
【図２】同じく平面図。
【図３】要部拡大正面図。
【図４】図３におけるＡ−Ａ線断面図。
【符号の説明】
【００２３】
２・・先端部
２a・・先端面
３・・軸部
４・・羽根部
【図１】
0003138873.tif 000003
【図２】
0003138873.tif 000004
【図３】
0003138873.tif 000005
【図４】
0003138873.tif 000006
(57)【要約】      （修正有）【課題】体の不自由な方．病気の方．怪我をされた方が病室又は自宅で養生されている時通常テイッシュボックスは置いて使用していますが．置く場所が限定されがちです．又車内おいてはテイシュボックスはつぶれがちになり．ウエットテイシュは筒状が多い為ころがり紛失しがちである．上記の内容を解消出来る物が無かった。【解決手段】自在に曲がる針金に滑り止めを兼ねた布又は麻ひも等を巻き付け針金の長さの中心部に吸盤とリボンを取り付け吸盤でスチール家具等の平面やガラスに取り付け．パイプ手摺にはリボンで結び．室内壁面にはリボンにピンで取り付ける。【選択図】図１
0003138811.tif 000002
【実用新案登録請求の範囲】
【請求項１】
吸盤んにより付けられる面及びピンで付けられる壁面に取り付け．テイッシュボックス．ウエットテイッシュ（筒型），ハンドタオル等を手の届く所必要な所に取り付けられる物である。
【考案の詳細な説明】
【技術分野】
【０００１】本考案はテイッシュボックス・ウエットテイッシュ（筒型）・ハンドタオル等を吸盤・ピンで必要な所に取り付けられる物に関する。
【背景技術】
【０００２】病院病室内で患者さんの手の届く好きな所例えばスチール家具の横には吸盤で．落下防止の手摺にはリボンで．家庭内では冷蔵庫に吸盤で又は各部屋のガラス面に．車内ではガラス面には吸盤で運転席．助手席の背もたにはリボンで特にウエットテイシュ（筒型）はころがってしまい使用するにあたり不便である。
【考案の開示】
【考案が解決しようとする課題】
【０００３】体の不自由な方．病気の方．怪我をされた方又は車内でテイシュボックス．ウエットテイシュ等の置き場所の不便を解消出来る。
【課題を解決する為の手段】
【０００４】吸盤．リボン．ピン等でほとんどのスチールの壁面．ガラス．パイプ手摺に取り付ける事が出来る。
【考案の効果】
【０００５】本考案の物であれば自分の欲しい場所にテイッシュボックス．ウエットテイッシュハンドタオル等を取り付けられる。
【考案を実施する為の最良の形態】
【０００６】本考案品は芯に針金を用い針金の廻りに布やヒモ等を巻き針金の中心に吸盤とリボンを取付ける。
【実施例】
【０００７】病室のスチール家具．パイプ手摺．冷蔵庫．ガラス．車内のガラス．背もたれ．部屋の壁等に取り付ける事ができる。
【図１】
0003138811.tif 000003
【図２】
0003138811.tif 000004
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
吸盤と針金の組み合わせにより作り、意匠的に針金の廻りに麻ひもで編み込み又は透明細めのビニールパイプで保護し，テイッシュボックスやウエットテイッシュ（筒型）を挟みタオルを掛け手の届く所必要な所に取り付けられるペッタン・ピン・ハンガーである．
【手続補正２】
【補正対象書類名】明細書
【補正対象項目名】全文
【補正方法】変更
【補正の内容】
【考案の詳細な説明】
【技術分野】
【０００１】本考案はテイッシュボックス・ウエットテイッシュ（筒型）・ハンドタオル等を吸盤・ピン・リボンで必要な所に取り付けられるペッタン・ピン・ハンガーに関する．
【背景技術】
【０００２】病院室内で患者さんの手の届く好きな所，例えばスチール家具の横には吸盤で，落下防止の手摺にはリボンで，家庭内では冷蔵庫に吸盤で各部屋のガラス面に吸盤で，車内ではガラス面には吸盤で運転席，助手席の背もたれにはリボンで特にウエットテイッシュ（筒型）は車内ではころがってしまい使用するにあたり不便である．
【考案の開示】
【考案が解決しようとする課題】
【０００３】体の不自由な方，病気の方，怪我をされた方，又は車内でテイシュボックス・ウエットテイッシュ等の置き場所の不便を解消出来る．
【課題を解決する為の手段】
【０００４】吸盤，リボン，ピン等でスチールの壁面，ガラス，パイプ手摺に取り付ける事が出来る．
【考案の効果】
【０００５】本考案のペッタン・ピン・ハンガーであれば自分の欲しい場所にテイッシュボックス・ウエットテイッシュ・タオル等を取り付けられる．
【考案を実施する為の最良の形態】
【０００６】本考案品は芯に針金を用い針金の廻りに麻ひもや布等を巻き針金の中心に吸盤とリボンを取り付ける．
【実施例】
【０００７】病室のスチール家具，パイプ手摺，冷蔵庫，ガラス，車内のガラス，運転席の背もたれや助手席の背もたれ，部屋の壁等に取り付ける事ができる．
【図面の簡単な説明】
【０００８】
【図１】は  姿図
【図２】は  分解図
(57)【要約】【課題】靴を履くときに周囲が暗いと足元が見え難く、靴が履きづらい問題があった。【解決手段】靴べらの内部に低消費電力のＬＥＤ照明装置を組み入れることにより、足元を明るく照らし、靴を履きやすくできる。【選択図】図１
0003138820.tif 000002
【実用新案登録請求の範囲】
【請求項１】
暗い所でも安心して靴を履けるように、靴べらにＬＥＤ照明装置を付加したこと特徴とする照明付き靴べら。
【請求項２】
へら部分は透明あるいは半透明樹脂を使用し、その樹脂の根元にＬＥＤを設置し、ＬＥＤから発した光が樹脂中を透過・導光し、へら部分より光が照射して足元を照らすことを特徴とする、請求項１記載の靴べら。
【請求項３】
ＬＥＤの発した光が靴べらの外部を通り足元を照射することを特徴とする、請求項１記載の靴べら。
【考案の詳細な説明】
【技術分野】
【０００１】  本発明は靴べらに関わるものであり、暗くて足元が暗くて見えにくい場合に、明るく照らすための照明装置を備えた靴べらに関するものである。
【背景技術】
【０００２】  夜や、周囲が暗い時に玄関等で靴べらを使用して靴を履くときには、玄関に備え付けられた照明を点灯するが、明るさが十分でない場合や照明の無い場合、足元が見えにくく不都合である。
【考案の開示】
【考案が解決しようとする課題】
【０００３】  本発明は上記の問題を解決しようとするものであり、暗がりでも足元を明るくし安心して靴べらを使用して靴を履けるようにするものである。
【課題を解決するための手段】
【０００４】  本発明者は、鋭意検討、工夫した結果、靴べらにＬＥＤを使用した照明装置を設置することにより、課題を解決することが出来た。また、低消費電力のＬＥＤを光源に使用したので、乾電池やボタン電池を使用し、長時間電池交換無しで使用することが可能である。【０００５】  ここでいう照明装置とは、ＬＥＤ、乾電池、電流調整回路、スイッチ及びケースと配線からなる。【０００６】  靴べらを使用して靴を履くときに足元を照らす適切な位置にＬＥＤを設置し、使用するときにスイッチによりＬＥＤを点灯する。【０００７】  少なくとも先端のへら部分は透明あるいは半透明素材で形成し、へらと反対側の握り手側にＬＥＤを設置し、ＬＥＤから発した光が透明あるいは半透明の素材中を透過して、へら部分より光が照射されて足元を照らす請求項２の靴べらに係るものである。【０００８】  ここでいう透明あるいは半透明素材とは、アクリル、ポリカーボネート等の透明樹脂や無機質ガラスを基材とするものである。【０００９】  へらと反対側の握り手側にＬＥＤを設置し、ＬＥＤから発した光が、へらの外部に出て足元を照らす請求項３の靴べらに係るものである。
【考案の効果】
【００１０】本発明は上述のように構成したから、暗い所で靴を履くときにも足元を明るく照らすことができるので、安心して靴を履くことができる。
【考案を実施するための最良の形態】
【００１１】  以下に、本発明の実施の形態を図に基づいて説明する。【００１２】  図１は請求項２の実施例であり、透明な靴べら１の内部にＬＥＤ４、電流調整回路６、乾電池６が内蔵されている。手元のスイッチ５は押している間だけＬＥＤが点灯するプッシュスイッチであり、手を離せば消灯する。電流調整回路は、ＬＥＤに流れる電流値を適切にするように設計された電気回路である。【００１３】  ＬＥＤの発した光は、透明アクリル製の靴べら内部を透過して、へら２の部分に進行した後、先端から放射されて足元を照らす。アクリルは透明な素材のため、透過中の光の損失は小さく、効率よく照らすことができる。【００１４】  図２は請求項３の実施例であり、靴べら１の内部にＬＥＤ４、電流調整回路６、乾電池６が内蔵されている。手元のスイッチ５は押している間だけＬＥＤが点灯するプッシュスイッチであり、手を離せば消灯する。電流調整回路は、ＬＥＤに流れる電流値を適切にするように設計されている。【００１５】  スイッチを押してＬＥＤの発した光は、靴べらの外部に放射された後、足元を照らす。【００１６】  以上のような構成により、暗い所でも足元を明るく照らし、安心して靴べらを使い靴を履くことができる。
【図面の簡単な説明】
【図１】図１は本発明の請求項２の実施例における靴べらの一例の図である。（Ａ）は正面図、（Ｂ）は側面図、（Ｃ）と（Ｄ）は側面の拡大図である。
【図２】図２は本発明の請求項３の実施例における靴べらの一例の図である。（Ａ）は正面図、（Ｂ）は側面図、（Ｃ）は側面御拡大図である。
【符号の説明】
１  靴べら
２  へら部
３  握り手
４  ＬＥＤ
５  スイッチ
６  電流調整回路、乾電池
７  光の進行方向
【図１】
0003138820.tif 000003
【図２】
0003138820.tif 000004
(57)【要約】      （修正有）【課題】低層住宅用躯体構造体として、耐震・耐腐朽性の高い住宅構築を目的とする。その、構造体であるコンクリート内に収める鉄筋の組み立て加工を簡便化するために、升目状鉄筋体を利用し、二重三重となって接触する部位を結束又は溶接して充分な強度を確保する低層住宅用躯体構造体を製作するものである。【解決手段】升目状鉄筋体を、目的に合わせた形状に連続折り曲げ加工して芯を構成し、コンクリートの中に収め、固めて製作する低層住宅用躯体構造体。【選択図】図１
0003138832.tif 000002
【実用新案登録請求の範囲】
【請求項１】
目的に合わせた形状に、升目状鉄筋体を右、左或いは上方、下方へと所要の間隔を取りながら連続して折り曲げてゆき、芯を形成して、その周りをコンクリートで固めることによって製作する低層住宅用躯体構造体。
【考案の詳細な説明】
【技術分野】
【０００１】本考案は、一般の低層住宅に使用する柱、梁等の躯体構造体に関するものである。
【背景技術】
【０００２】現在使われている躯体構造体にはコンクリート・鉄骨・木の柱、梁が使用されている。
特に、鉄筋コンクリート柱・梁の問題点を解決するために、同一出願人によって特許出願がされている、鉄筋に代わる鉄板入りのコンクリート柱・梁の案件の、特願２００７−７７８０３がある。
【考案の開示】
【考案が解決しようとする課題】
【０００３】本考案は、特願２００７−７７８０３を更に発展応用する、より低価格で、より容易に造形度及び躯体強度を高めることが出来る低層住宅用躯体構造体を提供することが課題である。
【課題を解決するための手段】
【０００４】目的に合わせた形状に、升目状鉄筋体を右・左あるいは上方・下方へと所要の間隔を取りながら折り曲げてゆき、芯を構成してその周りをコンクリートで固めることによって製造する躯体構造体。
【考案の効果】
【０００５】１、目的の形状と、長さ・太さを自由に製作できる。
２、製作を短時間で行うことができる。
３、小さな設備で、製作できる。
４、升目状鉄筋体は、市販されているので入手が容易であり、経済効果も望める。
５、本考案構造体を用いる事により、木造住宅の白蟻・腐朽の害は無くなり、耐震・耐風・耐火に対しても、強い耐力のある住宅が完成するものである。
６、木造住宅の建替えを促すことができる。
【考案を実施するための最良の形態】
【０００６】縦・横１メ−トル×３メ−トルの平坦で磐石な作業台二台と、三台の折り曲げ機を用意することで、本考案の低層住宅用躯体構造体を容易に作る事ができる。
【実施例】
【０００７】以下、図面に示す実施例に従って、本考案の実施態様について説明する。
図１は、躯体構造体の柱及び梁に供することを目的とした、Ｉ型構造体の断面及び形状の構造図を示し、コンクリート中に収められる鉄線で形成する縦筋３と横筋２から成る升目状鉄筋体を連続して折り曲げて、尚２重に重ねてＩ型を形成し、Ｉ型の枠の中に入れ、コンクリートを流し込み製作する躯体構造体Ｉ型である。
図２は、図１構造体を立てた場合の姿であり、升目状鉄筋体の配置状態を示している。
又、矢印方向からの小口断面を眺めたものが、図１の断面と同一である。
図３は、十字型構造体を形成する目的に収まる、鉄線である縦筋３と横筋２で形成する升目状鉄筋体を連続して折り曲げて十字型を形成した例であって、２重に重ねてある例で、その配置状態を示した断面及び折り曲げ順路を示したものである。
図４は、Ｔ型構造体を形成する目的に収まる、その為の図３の内容と、同一である。
図５は、Ｌ型構造体を形成する目的に収まる、その為の図３の内容と、同一である。
図６は、鉄線である縦筋３と横筋２で形成される、升目状鉄筋体の平面姿図を示している。
図７は、図６の升目状鉄筋体の断面を、上方から眺めた図である。
【図面の簡単な説明】
【０００８】
【図１】本考案の一実施例を示す構造図である。
【図２】図１、における立体立脚図である。
【図３】他の、実施例の構造を示す断面図である。
【図４】更に、他の実施例の構造を示す断面図である。
【図５】更に、他の実施例の構造を示す断面図である。
【図６】升目状鉄筋体の平面姿図である。
【図７】同上図の断面図である。
【符号の説明】
【０００９】１  コンクリートから成る躯体構造体を示す。
２  升目状鉄筋体の、横筋を示す。
３  升目状鉄筋体の、縦筋を示す。
【図１】
0003138832.tif 000003
【図２】
0003138832.tif 000004
【図３】
0003138832.tif 000005
【図４】
0003138832.tif 000006
【図５】
0003138832.tif 000007
【図６】
0003138832.tif 000008
【図７】
0003138832.tif 000009
(57)【要約】      （修正有）【課題】内部にレーザー彫刻を施したガラス体を受け台に取付け、受け台内部に設けられた発光体により彫刻部を照明する灯飾器具において、ガラス体の形状ズレや、寸法誤差の影響を受けずに確実に固定し、レーザー照射位置の誤差や照射方向誤差から生じるガラス体内部の彫刻の位置ズレや、彫刻強度の不均一により生じる反射の違いを容易に補正する。【解決手段】内部にレーザー彫刻を施した棒状のガラス体からなる上部と、それを支えると共に、彫刻部を照射する発光体を備えた受け台との中間に緩衝体としての役目をする弾性を持つソケットを設けることで、形状の違いや、大きな寸法誤差が存在するガラス体に接着剤を用いることなく確実に支え、且つ、着脱、回転自在としたことで、ガラス体内部の彫刻の位置ズレにより生じる反射の違いを容易に補正できるようにした。【選択図】図１
0003138833.tif 000002
【実用新案登録請求の範囲】
【請求項１】
内部にレーザー彫刻を施した棒状のガラス体からなる上部と、それを支えると共に、彫刻部を照射する発光体を備えた受け台との中間に緩衝体の役目をするソケットを設けることで、形状の違いや、大きな寸法誤差が存在する上部を確実に支え、且つ、着脱、回転自在としたことを特徴とした仏具。
【考案の詳細な説明】
【技術分野】
【０００１】  本考案は、内部にレーザー彫刻を施した棒状のガラス体からなる上部が形状、及び寸法誤差が生じていても、確実に下部の受け台に固定できると共に、ガラス体内部に彫刻された彫刻部を、最良の方向で照射できるようにした灯飾仏具。
【背景技術】
【０００２】  従来、当該灯飾仏具は、ガラス体でできている上部と、それを支える発光体を備えた受け台との二段構造で、当該ガラス体を手加工で研磨する際に生じる形状のズレや、寸法誤差を補うため、受け台の支え穴を大きく取っていた。その為、そのままでは上部を支えることができない為に接着剤で固定していた。また、彫刻部の位置ズレがあっても、後から取付け位置の調整が困難であった。
【考案の開示】
【考案が解決しようする課題】
【０００３】  内部にレーザー彫刻を施したガラス体を受け台に取付け、受け台内部に設けられた発光体により彫刻部を照明する灯飾器具において、ガラス体の形状ズレや、寸法誤差の影響を受けずに確実に固定し、レーザー照射位置の誤差や照射方向誤差から生じるガラス体内部の彫刻の位置ズレや、彫刻強度の不均一により生じる反射の違いを容易に補正できること。
【課題を解決するための手段】
【０００４】  内部にレーザー彫刻を施した棒状のガラス体からなる上部と、それを支えると共に、彫刻部を照射する発光体を備えた受け台の役目をする下部との中間に緩衝体としての役目をする弾性を持つソケットを設けることで、形状の違いや、大きな寸法誤差が存在するガラス体に接着剤を用いることなく確実に支え、且つ、着脱、回転自在としたことで、ガラス体内部の彫刻の位置ズレにより生じる反射の違いを容易に補正できるようにした。
【考案の効果】
【０００５】  ガラス体に大きな寸法誤差や形状の誤差が生じていても、接着剤を使用すること無く確実に固定することができ、且つ、着脱、回転自在としたことで、ガラス体内部の彫刻の位置ズレにより生じる反射の違いを容易に補正ができると共に、ガラス体の傷の発生や、彫刻の模様を替えたい場合に容易に交換ができる。また、受け台内部の発光体を切り替え自在に複数色設けることで、彫刻の反射色を変化させることもできる。
【考案を実施するための最良の形態】
【０００６】  以下、本発明に係る仏具の実施形態を図１により説明する。本実施形態の仏具は、図１に示すように、ガラス体１の内部に施された立体レーザー彫刻２からなる上部と、その下に緩衝体として取付けられる弾性を持つソケット３と、彫刻部２を照射するための発光体が設けられた台４によって構成されている。
【実施例】
【０００７】  以下、本考案の実施例を、図１から図２を参照して説明する。図１はガラス体とソケット、及び受け台の構成の様子を示している。ガラス体１の形状や寸法誤差が生じても、弾性を持つソケット３が吸収し、受け台４の取付け穴部に容易に差込むことができる。図２は、ガラス体内部の彫刻部２が位置ズレを生じている様子を示している。
【図面の簡単な説明】
【０００８】
【図１】  ガラス体とソケット、及び受け台の構成斜視図。
【図２】  ガラス体と彫刻部の位置関係を示す上視図。
【符号の説明】
【０００９】１．ガラス体
２．彫刻部
３．ソケット
４．受け台
【図１】
0003138833.tif 000003
【図２】
0003138833.tif 000004
(57)【要約】【課題】従来額は、記念の出来事を精々１〜2枚位納めるのがやっとで、納めたり取り出したりする時なども裏側の留具を外したり留めたり、中身も飛散したりして大変な事と成る事も屡あり大変である、又、園児から社会人に成るまでの記念の出来事を一つの額に飾る額ではない。【解決手段】表の透明ガラス面、又色々の部材アクリル面などは、凸状の引き手でパイプと額孔の接触面抵抗を手前に引く事で開き、押す事で閉じ記念の証になる絵、図面、賞状などは、硬質フォルダーケースに収めアタッチメントにより幾重にも収まり素早く確認する事が出来又着脱も簡単に出来るので特に使い勝手が良い額となる。従来の額でないので個人、御家族にあった大きさで、材料は木材だけで無く例えば金の額、奥行き、家紋、国旗、デザイン、又、年月日なども入れて在れば便利な額となる。【選択図】  図1
0003138854.tif 000002
【実用新案登録請求の範囲】
【請求項１】
表の透明ガラス面、又色々の部材アクリル面などは、凸状の引き手を手前に引く事でパイプが外れ開き、押す事でパイプが収まり閉じ記念の証になる絵、図面、賞状などは、硬質フォルダーケースに収めアタッチメントにより幾重にも収まり素早く確認する事が出来又着脱可能な額。
【請求項２】
従来の額でないので個人、御家族にあった前記額は木材又は金属のいずれかから成る請求項1記載の額。
【請求項３】
裏面に固定したパイプを前面裏側に設けたパイプ孔に預け前面の開閉を自由にしたことを特徴とした請求項１、又は２記載の額。
【請求項４】
パイプの太さは、ＣＤ盤の中央の貫通孔より細いパイプを設置しその貫通孔に通し保管する事を特徴とした請求項１、２、３のいずれかに記載の額。
【考案の詳細な説明】
【技術分野】
【０００１】
本考案は何年から何年までの賞状などこの額に納める事のできる額で、子供の出世、生い立ちの記念に成り一生誇りと共に生きてきた証をこの額に飾り、子供の喜び、親の喜びを一緒に記念として末代まで受け継がれその時々の記念の出来事を大切に飾る額に関するものである。
【背景技術】
【０００２】
従来額は、記念の賞状などは精々１〜2枚位納めるのがやっとで、納めたり取り出したりする時なども裏側の留具を外したり留めたり、中身が飛散したりして大変な事と成る事も屡あり、又園児から社会人に成るまでの記念の出来事を一つの額に飾りきれない、まして思い出のCD、SD映像などは、一緒に納められない。
【考案の開示】
【考案が解決しようとする課題】
【０００３】
而して、上記額は、一個、一個に額が必要に成り又入れ、出しするのに裏面の留を外し又留める事になりその時中身が飛散したりして整理、整頓がスムーズには行かない、既に市販に供されているが、それほど便利で貴重な額で無く貴重にされてないのが現状である。
【課題を解決するための手段】
【０００４】
本考案は、一個、一個に絵、図面、賞状などを硬質フォルダーケースに納め、その硬質フォルダーケースを幾重にもアタッチメントで重ねられその額に収まり、取り外しも容易であり必要であれば絵、図面、賞状などは、硬質フォルダーケースの表、裏に納める事も出来、大変便利な額となる又ＳＤウォータープール、フロッピー（登録商標）などの小物は、袋に納め着脱自在のアタッチメントを備えた帯紐をパイプにかけて保管する。
【考案の効果】
【０００５】
本考案は、林業、鉱物採掘現場、工場、職人、彫刻師、額店、土産店、海外輸出業などが少しは雇用が増え活気が出てくるであろう。
【考案を実施するための最良の形態】
【０００６】
額の表面の上部は、マークなどを施すため必要な幅を用意し、又硬質フォルダーケースのアタッチメントが見えない幅が良いと思われ、額の奥行きは、5センチ〜10センチ位が良いと思われるが希望により其々の御家族により額の大きさ奥行きに違いがあろうかと思われる、裏面に取り付けたパイプの太さはＣＤの孔より小さく、長さは表面裏側に設けた孔に収まり、開け閉めがスムーズに往く長さが最良である。
【実施例】
【０００７】
以下、添付書面に従って実施例を説明する。機能性、デザイン性、利便性、額の材料を重要視し、耐久性、安全性も兼備えた額であり尚、家紋、国旗、年月日等も要望に応じて額縁に彫刻なぞで施す。
【産業上の利用可能性】
【０００８】
この額により林業、鉱物採掘現場、工場、職人、彫刻師、額店などの産業も少しは活発になり、又土産店、海外輸出産業も少しは活発になる。
【０００９】
農林業は、現在急速に過疎化が進んで深刻な状態に陥っており、若者達が進んで農林業で仕事が出来、安定した生活が送れる様に国、県ももっと、もっと知恵と、努力と予算を使い若者達の未来に責任ある開発、企業化などをしなければ成らないと思われる。農林業に若者達が進んで自分達の明りが見え、努力しだいで希望が持てる日本にしなければ成らないと思われる。その1つのアイデアとして、産業上の利用可能性だけでなく将来若者達が国を守り、世界を守る上に於いても大事な農林業である。又その国、その地域で取れる産物を利用して如何にして商品化するのが1番であると思われる。山林地区は木材を、鉱物の産地は金属で額を商品化され、その地区地区の特長を生かし生産すればよいと思われる。
【図面の簡単な説明】
【００１０】
【図１】額の正面図
【図２】額の斜視図
【図３】額の裏面に設置パイプを示す図
【図４】硬質フォルダーケースに設けた帯紐とボタンを示す図
【図５】硬質フォルダーケースに設けた帯紐とボタンとパイプの正面図
【符号の説明】
【００１１】
１  額
２  透明ガラス
３  家紋又はマーク
４  額裏面の設置パイプ
５  前面開閉ノブ
６  硬質フォルダーケースに設けた着脱自在の帯紐
７  硬質フォルダーケース
８  ボタン
【図１】
0003138854.tif 000003
【図２】
0003138854.tif 000004
【図３】
0003138854.tif 000005
【図４】
0003138854.tif 000006
【図５】
0003138854.tif 000007
(57)【要約】      （修正有） 【課題】風が吹いても風切り雑音の軽減されたノイズキャンセリングヘッドホン（イアホン）を供給する。【解決手段】ヘッドホン部に設置されている雑踏雑音用集音マイクに風防具を取り付けることにより、風により集音マイク部で発生する風切り雑音を軽減する。使用場所を限定することなく使用できる。【選択図】図１
0003138824.tif 000002
【実用新案登録請求の範囲】
【請求項１】
ノイズキンセリングヘッドホン（イアホン）のノイズ集音マイク部に風防具を取付ることにより、風切り雑音の軽減したノイズキャンセリングヘッドホン（イアホン）を提供する。
【考案の詳細な説明】
【技術分野】
【０００１】
風切り雑音軽減型ノイズキャンセリングヘッドホン（イアホン）。
【背景技術】
【０００２】
音響機器であるマイクロホンの風切り音防止対策技術をノイズキャンセリングヘッドホン（イアホン）に応用した。
【特許文献１】特開２００７−１８９５３０号公報
【特許文献２】特開２００２−３３０４８８号公報
【考案の開示】
【考案が解決しようとする課題】
【０００３】
図２は一般市販されているノイズキャンセリングヘッドホンである。  車両内等無風地域で使用する場合、カタログ通りの雑踏騒音の軽減効果がある。
【０００４】
しかし、地下鉄通路や野外にて風が吹くとヘッドホン部にある雑踏騒音集音用のマイクにて「ガリガリ」と言う風切り音が発生して、本来の聴取音に雑音として混入する。
【課題を解決するための手段】
【０００５】
風切り音発生を防ぐため、雑踏騒音集音用マイク部に風防具を取り付ける。
【考案の効果】
【０００６】
本考案により、地下鉄通路等風切り音により本来のノイズキャンセリング機能が使用できなかった場所でも、風が吹いても風切り音が軽減され、雑踏騒音を軽減した環境にて小音量にても音楽を楽しめる様になった。
【考案を実施するための最良の形態】
【０００７】
地下鉄通路・高架道路ガード下・高架鉄道ガード下等の雑踏雑音が多く、風の吹く場所にてノイズキャンセリングヘッドホン（イアホン）を使用する場合。
【図面の簡単な説明】
【０００８】
【図１】風防装置を施したノイズキャンセリングホッドホンである。
【図２】市販されている一般的なノイズキャンセリングヘッドホンである。
【図１】
0003138824.tif 000003
【図２】
0003138824.tif 000004
【手続補正書】
【提出日】平成19年10月24日(2007.10.24)
【手続補正１】
【補正対象書類名】実用新案登録請求の範囲
【補正対象項目名】全文
【補正方法】変更
【補正の内容】
【実用新案登録請求の範囲】
【請求項１】
ノイズキンセリングヘッドホン又はノイズキャンセリングイアホンのノイズ集音マイク部に風防具を取付ることにより、風切り雑音の軽減したノイズキャンセリングヘッドホン又はノイズキャンセリングイヤホン。
【手続補正２】
【補正対象書類名】図面
【補正対象項目名】全図
【補正方法】変更
【補正の内容】
【図１】
0003138824.tif 000005
【図２】
0003138824.tif 000006
(57)【要約】【課題】本考案は、正座による足の血行不良と痺れ防止のほか、正座姿勢そのものを正すことができ、背筋から足腰の骨格筋を鍛えるとともに、座り心地の良い健康的な正座椅子の開発。【解決手段】本考案は、正座椅子の下部をボウル状にして、無意識のうちに正座姿勢をバランスさせながら姿勢を正すことができるようにした。座り心地も良く、乗馬感覚で背筋から足腰の骨格筋を鍛えることができ、健康的で肥満の解消、予防にもなる。正座椅子クッション６に腰掛け、両方の足の裏で正座椅子下部ボウル１を軽く抱える。全体重を下部ボウル面の床面との接触面で受ける。椅子自体は下部ボウル面によって、腰掛面が常に「だるま」のように上になるので使い易い。正座椅子の内部は、天板５及びクッション６が天板固定金具２，３によって取り外し可能な蓋になっているので、夏には保冷剤を入れて体を冷やしたり、冬にはカイロ等を入れて暖めたりすることもできる。【選択図】図３
0003138829.tif 000002
【実用新案登録請求の範囲】
【請求項１】
正座の自由度を高めるとともに適度な安定感を持たせるため、椅子下部をボウル状にしていることを特徴とした正座椅子。
【請求項２】
椅子内部を空洞にして上部が蓋のように開閉、着脱可能な収納ケースとして利用できることを特徴とした正座椅子。
【考案の詳細な説明】
【技術分野】
【０００１】
本考案は、正座椅子下部をボウル状にすることで、正座しているだけで姿勢を正し、足が痺れることもなく全身の骨格筋を乗馬気分で鍛えることができる健康的で、腰掛けていることが楽しくなる正座椅子。
【背景技術】
【０００２】
本来、正座椅子は正座による足の血行不良とそれに伴う痺れを防止して、姿勢の維持とともに安定感や座り心地を良くするためのものである。しかし、正座椅子としての安定性と心地良さを高めることは、体が楽になる反面、正座の姿勢を崩してしまい結果的に座り心地をも悪くしてしまう場合がある。
【考案の開示】
【考案が解決しようとする課題】
【０００３】
正座による足の血行不良と痺れ防止は言うまでもなく、正座姿勢そのものを正すことができる正座椅子で、背筋から足腰の骨格筋を鍛えるとともに、座り心地の良い健康的な正座椅子の開発。
【課題を解決するための手段】
【０００４】
本考案は、正座椅子の下部をボウル状にすることによって、正座姿勢が崩れた途端に座り心地が悪く、敢えて不安定になるようにしたものであるが、意識する、しないに拘らず絶えず正座姿勢のバランスを取るようになるので、自然に正座姿勢を正すことができるようになり、座り心地を良くするとともに、乗馬感覚で背筋から足腰の骨格筋を鍛えることができる。
【０００５】
また、正座椅子下部がボウル状になっていることから、椅子そのものは「だるま」のように常に腰掛面を上にしているので、普通に腰掛けることができるとともに、どんな体勢にも応じてくれる使い勝手の良い正座椅子。
【考案の効果】
【０００６】
上述のように、正座椅子としての機能とともに、無意識のうちに背筋から足腰の骨格筋を鍛えながら正座姿勢を正すことができるので、健康にも良く基礎代謝量の増大によってダイエット効果を高めることもできる。
【０００７】
本考案の正座椅子は、極めて単純明快な原理に基づいたものであり、構造もいたって簡単なつくりで、使い勝手のよい機能性に富んだものとなっている。このため、アクリル、プラスチック樹脂等で簡単、低廉に成型加工することができる。材質的には金属・非金属に限らず木材等でも充分可能。
【考案を実施するための最良の形態】
【０００８】
本考案の正座椅子は下部がボウル状になっていることから、腰掛けて正座した場合、体の全体重は床面と接するそのボウル面で受け止めることとなり、正座姿勢が崩れてボウル面と床面との接触面上から重心が外れた途端、体全体が不安定となる。このとき体は意識する、しないに拘わらず体のバランスを保つべく、背筋から足腰の骨格筋が正座姿勢を正すようになるので、体全体の安定を取り戻すことができる。
【０００９】
また、本考案の正座椅子は、正座姿勢を崩すことなく、意識的に揺らすだけで乗馬気分を味わいながら、背筋から足腰の骨格筋を鍛えることができるので、健康にも良く基礎代謝量の増大とともに、肥満の解消、予防にもつながる。さらに、椅子自体は下部がボウル状になっているので、腰掛面が常に「だるま」のように上向きとなっており、安心して腰掛けることができる。
【００１０】
本考案の正座椅子は、正座椅子の下部ボウル内部は空洞で、その上のクッション部分は取り外し可能な蓋となっているので、使用時は収納ケースとして、また、不使用時は分割して収納できる。夏の暑いときには収納ケースの中に保冷剤を入れて体を冷やすことができ、また、冬の寒いときにはカイロ等を入れて足腰を暖めることもできる。
【実施例１】
【００１１】
以下、添付図面に従って実施例を説明する。図１、図２、図３及び図４は、健康だるま正座椅子（以下「正座椅子」と言う。）の正面図、平面図及び断面図である。本考案の正座椅子クッション６に腰掛け、両方の足の裏で正座椅子下部ボウル１を軽く抱えるように当てる。体と正座椅子の全体重は下部ボウル面の床面との接触面で受けることになるので、足に体重が乗ることは全くない。
【００１２】
正座椅子の下部がボウル状になっていることから、正座姿勢が崩れてボウル面と床面との接触面上から重心が外れた途端、体全体が不安定となる。このとき体は意識する、しないに拘わらず体のバランスを保つべく、背筋から足腰の骨格筋が正座姿勢を正すようになる。また、意識的に揺らすだけで乗馬気分を味わいながら、背筋から足腰の骨格筋を鍛えることができるので、健康にも良く基礎代謝量の増大とともに、肥満の解消、予防にもつながる。
【００１３】
本考案の正座椅子は、椅子自体は下部ボウル面１によって、腰掛面が常に「だるま」のように上向きになるので、安心して腰掛けることができる。また、正座椅子下部ボウル内部の空洞は、その上の正座椅子天板５及びクッション６が、天板固定掛金２、天板安全丁番締３によって取り外し可能な蓋になっているので、収納ケースとして利用することもでき、夏の暑いときには保冷剤を入れて体を冷やしたり、冬の寒いときにはカイロ等を入れて暖めたりすることもできる。不使用時は分割収納することもできる。  
【図面の簡単な説明】
【００１４】
【図１】本考案の健康だるま正座椅子の正面図である。
【図２】本考案の健康だるま正座椅子の平面図である。
【図３】本考案の健康だるま正座椅子の断面図である。
【図４】図３の健康だるま正座椅子Ａ−Ｂ断面図である。
【符号の説明】
【００１５】
１  正座椅子下部ボウル
２  正座椅子天板固定掛金
３  正座椅子天板安全丁番締
４  正座椅子天板ずれ防止凹凸
５  正座椅子天板
６  正座椅子クッション
【図１】
0003138829.tif 000003
【図２】
0003138829.tif 000004
【図３】
0003138829.tif 000005
【図４】
0003138829.tif 000006
【手続補正書】
【提出日】平成19年11月15日(2007.11.15)
【手続補正１】
【補正対象書類名】実用新案登録請求の範囲
【補正対象項目名】請求項２
【補正方法】変更
【補正の内容】
【請求項２】
椅子内部を空洞にして上部が蓋のように開閉、着脱可能な収納ケースとして利用できることを特徴とする請求項１記載の正座椅子。
(57)【要約】      （修正有）【課題】寝具の隙間を防いで防寒効果を上げる襟付き敷毛布の提供。【解決手段】肩の当たりと足下の部分の隙間を防ぐために、敷毛布の肩に当たる部分と足下を袋状にし、その部分に綿を使い防寒効果を上げるもの。【選択図】図１
0003138828.tif 000002
【実用新案登録請求の範囲】
【請求項１】
通常より長い敷毛布の肩に当たる部分を斜めにカットし、その部分を綿の入った毛布地で縫い合わせる。足下の部分にも綿が入っておりその部分と下部の両サイドに付いた布をそれぞれ折り曲げるところを特徴とする肩の部分と足下を袋状にした襟付き敷毛布
【考案の詳細な説明】
【技術分野】
【０００１】  本考案は、防寒効果をより高めるために、隙間の出来易い部分を袋状にし襟を付けた寝具に関するものである。
【背景技術】
【０００２】  電気毛布や着用するものがある。
【考案の開示】
【考案が解決しようとする課題】
【０００３】  従来の電気毛布や着用するもの、あるいは掛寝具では隙間を防ぎにくくそこから冷気が侵入し防寒の妨げになった。又、寝具を増やすとその分体に負担がかかり、これ等にによって安眠の妨げになり健康へのあく影響にもつながりかねない。従って、寝具を増やさずに安全に、かつ簡単な操作で隙間を防ぐ事が出来、防寒効果を上げるもので前述の欠点を解決しようとするものである。
【課題を解決するための手段】
【０００４】  本考案は、通常より長い敷毛布の肩に当たる部分を斜めにカットし、その部分を綿の入った毛布地で袋状に縫い合わせる。観音開きの胸の部分は、マジックテープで簡単に止め外しが出来、取り外しの出来る綿入りの襟を付ける。又敷毛布の足下には綿が入っていて、その部分と下部の両サイドに付いた布をそれぞれ折り曲げ袋状を作る事により問題点を解決している。
【考案の効果】
【０００５】  敷毛布の肩に当たる部分と足下の部分が袋状になっている事により、防ぎにくかった隙間が無くなり、冷気の侵入を防ぎ中の暖まった空気も逃がさず、しかも、それぞれに綿が入っているので防寒効果が更に高まる。肩の部分に関しては縫い合わせてあるので自然と肩を覆う形になり、ギャザーをよせてある事により脹らみが出来横向きになっても圧迫感が無く、観音開きになっな胸の部分でマジックテープで止め外しが出来、寝た状態でも簡単に操作が出来る。又マジックテープを付けた回りの毛布地は、毛の無い布地で覆ってあるので、毛布地の毛の付着による接着不良を防ぐ事が出来る。就寝の際は、袋状の中に枕を入れた状態で使用するので自然と頬や耳や首筋を覆う形になり、綿の入った襟で隙間を防ぐ事が出来防寒効果が上がる。又、枕の置く位置により覆う加減調整が出来、襟が不要の際は取り外す事が出来、又、袋状を利用しないで通常の敷毛布としても使用する事が出来便利である。
【考案の実施すねための最良の形態】
【０００６】  通常より長い敷毛布の肩に当たる部分を斜めにカットし、その部分を綿の入った毛布地でギャザーを付けて縫い合わせ脹らみを作り、観音開きの胸の部分にマジックテープが付いている。又、取り外しの出来る襟がついていて、敷毛布の上部と肩の部分の両サイドに紐が付いている。敷毛布の下部の部分には綿が入っておりその両サイドに布が付いている。
【実施例】
【０００７】  以下、添付図面に従って一実施例を説明する。１は敷毛布本体、２と３は袋状の上に当たる部分で綿が入っており４のマジックテープで止め外しをする。５は綿の入ってる部分で上に折り曲げ、次に６と７を敷布団の下に折り曲げて袋状を作る。８は取り外しの出来る襟である。９と１０は脹らみを出すためのギャザーである。１２の紐に１３と１４の紐を通して敷布団の下で結びずれを防止する。敷毛布と襟は１５のボタンで合わせ、１６はその隙間を防ぐための布である。１７と１８の部分には綿が入っており１９の部分には綿が入っていない。
【図面の簡単な説明】
【０００８】
【図１】本考案の肩の部分と足下を袋状にした襟付き敷毛布の一実施例を示す正面図である。
【図２】本敷毛布の足下の袋状を作らず襟を外した状態の敷毛布の正面図である。
【図３】襟の正面図である。
【図４】襟の一部切欠断面図である。
【符号の説明】
【０００９】１    敷毛布本体
２    綿が入っている部分
３    綿が入っている部分
４    マジックテープ
５    綿が入っている部分
６    布
７    布
８    襟
９    ギャザー
１０  ギャザー
１１  ボタン通し穴
１２  紐
１３  紐
１４  紐
１５  ボタン
１６  布
１７  綿が入ってる部分
１８  綿が入ってる部分
１９  綿が入っていない部分
【図１】
0003138828.tif 000003
【図２】
0003138828.tif 000004
【図３】
0003138828.tif 000005
【図４】
0003138828.tif 000006
(57)【要約】      （修正有）【課題】ペット用リードとしての強度を確保した上で、ファッション性にも優れたペット用ビーズリードを提供する。【解決手段】ステンレスワイヤーロープと、オーバルスリーブを用いて十分な強度を確保、同時にプラスチックビーズを使用してファッション性を持たせることができることができることを特徴とするペット用リードである。また、プラスチックビーズ・ウッドビーズ・天然石を使用することで、ファッション性を持たせることができる。【選択図】図１
0003138827.tif 000002
【実用新案登録請求の範囲】
【請求項１】
ステンレスワイヤーロープと、オーバルスリーブを用いて十分な強度を確保、同時にプラスチックビーズを使用してファッション性も持たせることができることを特徴とするペット用リード。
【請求項２】
プラスチックビーズ・ウッドビーズ・天然石を使用することで、ファッション性を持たせることができることを特徴とする請求項１記載のペット用リード。
【考案の詳細な説明】
【技術分野】
【０００１】  この考案は、犬や猫などのペットの散歩に用いるリードの形状に関する。
【背景技術】
【０００２】  従来のペット用リードは皮革製・布製のものが大半であり、デザインが限られていた。
【考案の開示】
【考案が解決しようとする課題】
【０００３】しかしながら、以上の技術によれば、ファッション的要素に乏しく、消費者にとっても目新しさが低下していた。
そこで、この考案は、ペット用リードとしての強度を確保した上で、ファッション性にも優れたものを提供することを課題とする。
【課題を解決するための手段】
【０００４】  以上の課題を解決するために、第一考案は、ステンレスワイヤーロープと、オーバルスリーブを用いて十分な強度を確保、同時にプラスチックビーズを使用してファッション性も持たせることができることを特徴とするペット用リードである。
また、第二考案は、プラスチックビーズ・ウッドビーズ・天然石を使用することで、ファッション性を持たせることができることを特徴とするペット用リードである。
【考案の効果】
【０００５】  第一考案、または第二考案によれば、ワイヤーにビーズを通す構造にすることにより、ファッション性を持たせることができる。
【考案を実施するための最良の形態】
【０００６】  この考案の一実施形態を、図１に示す。
ｄにｈを通すことでファッション性を持たせる。ペット用リードとしての強度を確保するため、ｅには抜け落ちのしないアーム産業製オーバルスリーブを使用する。ｄ・ｆはペットの体重に合わせて太さ・大きさを変更する。ｇを螺旋状に巻き、金具部分をかくすことにより、ファッション性を向上。ｈの組み合わせにより、さまざまなデザインに変更可能なためファッション性を持たせることができる。
【図面の簡単な説明】
【０００７】
【図１】この考案の一実施形態を示す斜視図である。
【図２】ｇ・ｈを取り外し構造を分かりやすく示す斜視図である。
【符号の説明】
【０００８】ａ  持ち手
ｂ  カシメ
ｃ  Ｄカン
ｄ  ステンレスワイヤーロープ
ｅ  オーバルスリーブ
ｆ  ナスカン
ｇ  スエードレース
ｈ  ビーズ
【図１】
0003138827.tif 000003
【図２】
0003138827.tif 000004
(57)【要約】      （修正有）【課題】獲物の当たりが敏感に伝わる。【解決手段】板１の上端部両先端側にガイドリング２，３を設けそのガイドリング２の真下に錘取付用クリップ付撚戻４を設け、仕掛け糸６の先端をガイドリング３の輪を通し、さらにガイドリング２の輪を通し道糸７の撚戻８と直結にすると獲物の当たりが敏速に手元に伝わる。又、獲物の状況によって板１を簡単に交換することができ獲物にアピ−ルすることができ、又、深場でも小さな当たりでも直結の為に敏速に手元に伝わるので囮板装置にしたことを設けることでこの課題を解決する。【選択図】図１
0003138826.tif 000002
【実用新案登録請求の範囲】
【請求項１】
横長の板の上端部両先端部に２つのガイドリングをそれぞれ設け、それらのガイドリングに仕掛け糸を通しその仕掛け糸の先端に道糸を直結したことを特徴とする囮板装置。
【請求項２】
前記板の下端部に錘取付用クリップ付撚戻を設けたことを特徴とする請求項１記載の囮板装置。
【請求項３】
前記板は錘を兼ねることを特徴とする請求項１記載の囮板装置。
【考案の詳細な説明】
【技術分野】
【０００１】  本考案は釣り具に使用する囮板装置に関わるものである。
【背景技術】
【０００２】  従来のスネ−クは曲がりを設けその中に仕掛け糸を通している又、スネ−クの面積が狭いので獲物を寄せ付けるアピ−ルをする為のシ−ルを設けることが不可能である。また、スネ−クの曲りを設けてあるので獲物の当たりの感度が鈍い（図２）。
【考案の開示】
【考案が解決しようとする課題】
【０００３】  しかし、これでは獲物の魚群又は、獲物の当たりが敏感に伝わらないので逃がす確率が多発で不便である。
【課題を解決するための手段】
【０００４】  横長の板の上端部両先端部に２つのガイドリングをそれぞれ設け、それらのガイドリングに仕掛け糸を通しその仕掛け糸の先端に道糸を直結したことを特徴とする囮板装置（図１）。板は錘を兼ねてもよい。
【考案の効果】
【０００５】  よって、本考案の釣具の囮板装置は獲物によって色彩に変えたり又透明板に変えたり又、透明板に獲物のシ−ル等を設けると一段と効果的である。又、コヅキすると板１は上下に動き獲物にアピ−ルすることができ魚群するとエサに喰いつく又、置竿の状態ても獲物の小さな当たりでも仕掛けは直結の為に穂先に敏速に伝わる。
【考案を実施するための最良の形態】
【０００６】  本考案に係わる釣具の囮板装置は図１に示すように板１の上端部両先端部にガイドリング２，３を設けそのガイドリング２の真下に錘取付用クリップ付撚戻４を設ける。又、仕掛け糸６の先端をガイドリング３の輪を通しさらにガイドリング２の輪を通し道糸７の撚戻８と直結にする。又、板１は潮の流れの変化によって仕掛け共方向を変えることが出来る。板１は気象状況および潮の変化によって板１を簡単に交換することによって獲物がさらに魚群するとエサに喰つく。また錘が着底の状態で錘が立っている時も又、横になっている時でも小さくコヅキすると板１が上下に動くことでアピ−ルすることが可能である。又、錘を着底から少し上げ又、錘を着底に繰り返しを行なうことによって着底の瞬間に砂埃等が発生することで獲物が魚群しエサに喰い付く、又大きくコヅキアピ−ルするとさらに獲物が魚群しエサに喰い付き又、深場でも小さな当たりでも直結の為に敏速に手元に伝わる。
【図面の簡単な説明】
【０００７】
【図１】  本考案に係る釣具の囮板装置の斜視図である。
【図２】  従来のスネ−クの斜視図である。
【符号の説明】
【０００８】  １    板
２    ガイドリング
３    ガイドリング
４    クリップ付撚戻
５    遊動止
６    仕掛け糸
７    道糸
８    撚戻
９    針
１０    スネ−ク
【図１】
0003138826.tif 000003
【図２】
0003138826.tif 000004